(57)【要約】【課題】水平方向の傾きの調整が容易な機構を具備したパチンコ機を提供する。【解決手段】前枠５に開閉自在に取付けられている図示していない前面パネルの後方に、水平角度調整機構を固定する取り付け板１３が前枠５に固定されて設けられている。水平角度調整機構は、水平方向の傾きを確認できる水準器１４と、送り機構で構成されており、何れも前面パネルを開いた状態で視認できる。前枠５に開閉自在に取付けられている前面パネルを開き、水準器１４により水平方向の傾きを確認しながら、円盤１８を右または左に回転する。前記円盤１８を回転することにより前枠５が上下して、前枠５と一体となった内枠１と共に遊技盤７が上下し、該遊技盤７の水平方向の傾きが調整される。【選択図】　　　　図３
2004121736.tif 000002
【特許請求の範囲】
【請求項１】
島設備への取付を行なうための外枠と、遊技領域を形成する遊技盤を設置する前枠と、この前枠を前記外枠に対して開閉可能に取付ける開閉機構とを備えたパチンコ機において、前記遊技盤を含む前枠の水平方向の傾き角度が調整できる水平角度調整機構を備えたことを特徴とするパチンコ機。
【請求項２】
前記水平角度調整機構は、前記遊技盤を含む前枠の水平方向の傾きを確認できる水準器を含むことを特徴とする請求項１に記載のパチンコ機。
【請求項３】
前記前枠下方部に形成された貫通孔には前記水平角度調整機構を調整する部材が左右に回転可能なように前面に出ていると共に、前記水準器は前記前枠を外枠に閉じた状態で水平状態が視認できることを特徴とする請求項２に記載のパチンコ機。
【発明の詳細な説明】
【０００１】
【発明の属する技術分野】
本発明は、パチンコ機に関し、特に水平角度調整機構を備えたパチンコ機に関する。
【０００２】
【従来の技術】
従来のパチンコ機は、外枠と遊技盤を収納する前枠とから構成され、外枠を島設備へ固定し、前枠は外枠に対して開閉を行なうための開閉機構を設けて開閉可能に備えられていた。また前枠における遊技盤の前面側には、金属製のガラス枠が前枠に対して開閉可能に備えられ、ガラス枠を通して前枠に収納された遊技盤の遊技領域が視認可能な構造であった。また、前枠の下方部には上皿等を配置した前面パネル（或いは開閉パネルともいう）が備えられていた。従来の外枠は木製であり、島設備へ設置する場合、外枠の上辺部及び下辺部に釘を打ち付けることにより、パチンコ機を島設備の構造部材に対して固定していた。そしてパチンコ機の設置角度（鉛直方向に対する前後の傾斜角度）を変更する場合には、外枠の上辺部及び下辺部のどちらかの固定位置を前後にずらして再度釘打ちして固定し直すことにより、前後の傾斜角度の調整を行なっていた。
【０００３】
しかし、従来のパチンコ機にあっては、上記設置角度調整の作業性等の面で、以下のような問題点があった。
（イ）前後方向の設置角度の調整は、適当にパチンコ機を傾斜させておいて機枠に釘を打ち付けることにより、適当な傾斜角度を付けて島設備への設置を行なっていたため、目的とする設置角度に定量的に微調整するのが非常に困難であり、ホールで望んでいる入賞率になるような設置角度に調整することは非常に困難であった。
（ロ）また、前後方向の設置角度を再設定する場合は、打ち付けた釘を抜いてから適当に設置角度を変化させた後に再度釘を打ち付けて行なっていたため、非常に面倒な作業であるとともに、この場合も正確な設定変更が困難であった。
【０００４】
前記パチンコ機における前後方向の設置角度の調整が容易かつ正確にできるパチンコ機として、例えば遊技盤を含む遊技盤収納枠の設置角度の調整が容易なパチンコ機（例えば、特許文献１参照。）及び遊技盤が傾斜可能なパチンコ遊技機（例えば、特許文献２参照。）がある。かかるパチンコ機は、パチンコ機の設置角度のうち、鉛直方向に対する傾斜角度を変更するものである。
【０００５】
【特許文献１】
特開平９−９９１５９　（図５、図６）
【特許文献２】
特開平１０−２５８１５７　（図２）
【０００６】
【発明が解決しようとする課題】
前記パチンコ機を島設備へ設置する場合、外枠が当該島設備に固定されるが、当該島設備の水平度は保たれていないのが一般的である。そのため、前記のようにパチンコ機の鉛直方向に対する前後の角度調整を行なっても、水平方向に傾斜している場合がある。特に、前枠は外枠に対して開閉を行なうための開閉機構を片側に設けて開閉可能になっている。その結果、前枠の重さにより、前枠の水平が確保されても、長時間の使用と、開閉により水平方向に傾く場合が多い。その結果、所定の出玉率が達成できなかったり、予期しない障害が発することがあり、顧客から不満がでたり、経営に支障をきたす場合がある。
【０００７】
本発明は、かかる問題を解決して水平方向の傾きの調整が容易な機構を具備したパチンコ機を提供することを目的としてなされたものである。
【０００８】
【課題を解決するための手段】
本発明は上記目的を達成するために請求項１記載のパチンコ機は、島設備への取付を行なうための外枠と、遊技領域を形成する遊技盤を設置する前枠と、この前枠を前記外枠に対して開閉可能に取付ける開閉機構とを備えたパチンコ機において、前記遊技盤を含む前枠の水平方向の傾き角度が調整できる水平角度調整機構を備えたことを特徴とする。
【０００９】
請求項２記載のパチンコ機は、請求項１記載のパチンコ機において、前記水平角度調整機構は、前記遊技盤を含む前枠の水平方向の傾きを確認できる水準器を含むことを特徴とする。
【００１０】
請求項３記載のパチンコ機は、請求項２記載のパチンコ機において、前記前枠下方部に形成された貫通孔には前記水平角度調整機構を調整する部材が左右に回転可能なように前面に出ていると共に、前記水準器は前記前枠を外枠に閉じた状態で水平状態が視認できることを特徴とする。
【００１１】
【発明の実施の形態】
以下、本発明の実施の形態を図面に基いて説明する。図１に示すように、パチンコ機は外枠１０と、前枠５、機構枠８及びガラス枠９などからなる内枠１（図１ａ）から構成されていて、前枠５には遊技盤７、上皿２、下皿３および電動ハンドル４などが前部に、また、後部には前記機構枠８が一体に装着されており、ガラス枠９には遊技盤から遊技球が飛び出さないようにガラス板が装着されている。下皿３および電動ハンドル４などは前面パネル１２に設けられており、該前面パネル１２は上皿２の下方に配置され、前枠５に開閉自在に取付けられている。
【００１２】
内枠５を固定するための開閉機構は、外枠１０の上端縁に固着したサポート１１ｂと前枠５の上端に固着した爪型ヒンジ１１ａ及び外枠１０の下端縁に固着したサポート１１ｄと前枠５の下端に固着した爪型ヒンジ１１ｃとで構成されている。前記開閉機構によって前枠５、機構枠８、ガラス枠９などを具備する内枠１が一体となって外枠１０に対して横方向に回動自在に係合されている。前枠５を前方に回動させて、内枠１を上方に持ち上げることで外枠１０から容易にはずせる構造になっている。内枠１は、外枠１０に例えばシリンダ錠６などでロックされる。以下、爪型ヒンジ１１ａ及び１１ｃ、サポート１１ｂ及び１１ｄを開閉機構１１と称して使用する。
【００１３】
電動ハンドル４は上面に配した図示していないタッチスイッチを押さえることにより起動し、側面に突設したっまみを回すことによって発射力を調整して遊技球を遊技領域内に発射するものである。前枠５の裏側には図示していない本体制御装置および役物制御装置が取付けられている。本体制御装置は、図示していないマイクロコンピュータが、図示していないプログラムＲＯＭによって作動し、入賞検出スイッチ、電動ハンドル４のタッチスイッチ、打球発射装置、表示灯、その他、従来のパチンコ機に必要な動作の制御を行う。
【００１４】
外枠１０には下板１６が設けられている。該下板１６の上部端には金具２０が設けられていて、該金具２０は、内枠１が外枠１０にはめ込まれた時、後述する送り機構１５のネジ２２の下端が（図３参照）当接する場所に設けられている。該金具２０によって前記ネジ２２の下端が外枠１０に入りこみ、水平調整が狂わないようになっている。なお、前記金具２０は内枠１の重量により変形しないものであれば金属以外であってもよく、例えばテフロン（Ｒ）などの合成樹脂でもよい。
【００１５】
ここで、発明の理解を容易にするために、パチンコ機の前枠の方向を以下のように定めて使用する。即ち、島設備に設置されたパチンコ機が立設する方向を「鉛直」方向（図１のＹ方向）、該「鉛直」に対して前後に傾斜する方向を「前後」方向（図１のＺ方向）、前記「前後」及び「鉛直」方向に対して９０度交叉する方向を「水平」方向（図１のＸ方向）とする。
【００１６】
図２に示すように、前枠５に開閉自在に取付けられている前面パネル１２の後方には、水平角度調整機構を取りつける取り付け板１３が前枠５に固定されて設けられている。かかる取りつけ板１３は、前記前枠５と一体になっていれば、これ以外であってもよく、例えば前記機構枠８の一部であってもよい。水平角度調整機構は、水平方向の傾きを確認できる水準器１４と、送り機構１５で構成されている。内枠１は、開閉機構１１により片側のみが支えられているので、内枠１の重量によって水平方向に傾斜し、開閉機構１１が設けられていない側が下がる。前記送り機構１５は、取り付け板１３の下方部に設られている。取り付け板１３の下方部に設けることにより、重量のある内枠１を引き上げる機構としなくてもよく、機構の簡略化と、小型化が可能である。
【００１７】
水準器１４は、水平方向の感度を高めるために、開閉機構１１が設けられていない側に備えられていると共に、該水準器１４の近傍には前記送り機構１５が設けられている。水準器１４と、送り機構１５は何れも前面パネル１２を開いた状態で視認できると共に、送り機構１５は、パチンコ機の前面から水平方向の傾き角度調整の操作ができる。即ち、前記前枠５を外枠１０に閉じた状態で前面パネル１２を開き、外枠１０に対する水平方向の傾き角度がパチンコ機の前面から調整できる図３に示す構造である。
【００１８】
図３に示すように、ネジ２２に固定された円盤１８が取り付け板１３の下方部に形成された貫通孔１７に介装されている。該円盤１８は、左右に回転可能なように取り付け板１３の前面に出ている。前記円盤１８の上下には前記ネジ２２と螺合したボールナット２３が固定具１９で取りつけ板１３に固定されている。ねじ２２の下端は、下板１６に設けられた金具２０に当接して前記円盤１８の回転に伴なって回転される。水準器１４は、予め遊技盤７の水平と一致するように固定具２１で取りつけ板１３に固定されている。該水準器１４と遊技盤７との水平調整は、例えば出荷検査時においてなされる。なお、前記送り機構１５は、前枠５が上下されるものであれば、ボールナット２３とネジ２２による送り機構以外のものであってもよい。
【００１９】
前記送り機構１５による遊技盤７の水平調整は以下のようにして行なわれる。なお、前枠５と一体となった内枠１と遊技盤７との水平調整は、例えば出荷検査時においてなされている。内枠１は、開閉機構１１に係合されて外枠１０に収納される。前記前枠５に開閉自在に取付けられている前面パネル１２を開くと、前記貫通孔１７に介装された送り機構１５の円盤１８がパチンコ機の前面から視認される。水準器１４により水平方向の傾きを確認しながら、前記円盤１８を右または左に回転する。前記円盤１８を回転することにより、取りつけ板１３に固定されているボールナット２３に螺合しているネジ２２が上下して、金具２０に当接している箇所で前枠５が上下する。開閉機構１１により前枠５は片側が固定されているので、金具２０に当接している箇所で前枠５が上下することにより、前枠５と一体となった内枠１と共に遊技盤７が上下し、該遊技盤７の水平方向の傾きが調整される。前枠５が水平になる位置まで円盤１８を回転して前面パネル１２を閉じる。なお、前記送り機構１５がパチンコ機の振動などで調整がずれないように、前記円盤１８にロック機構を設けてもよい。または取りつけ板１３と下板１６との間の隙間Ｓに楔などをかってもよい。更に又、前後方向の傾きを調整する調整機構を別に設けてもよい。
【００２０】
【発明の効果】
請求項１記載のパチンコ機によれば、遊技盤を含む前枠の水平方向の傾き角度が調整できる水平角度調整機構を備えたことにより、水平度が保たれていない外枠が固定された島設備にパチンコ機を設置しても容易に水平方向の傾斜調整でき、パチンコ機の設置時の作業性を向上できる。
【００２１】
請求項２記載のパチンコ機によれば、前記水平角度調整機構は、前記遊技盤を含む前枠の水平方向の傾きを確認できる水準器を含むことにより、容易に水平方向の傾斜の確認が行なえ、パチンコ機の設置時の作業性を向上できる。
【００２２】
請求項３記載のパチンコ機によれば、外枠にたいする前記遊技盤を含む前枠の水平方向の傾き角度がパチンコ機前面から調整できることにより、島設備にパチンコ機を設置して水平方向の傾き調整を行なえる。更に、長時間の使用と、開閉により水平方向に傾いても、再度の調整も容易である。
【図面の簡単な説明】
【図１】本発明のパチンコ機の構成を示す内枠（図１（ａ））と外枠（図１（ｂ））の斜視図である。
【図２】図１（ａ）における内枠の前面パネルを取り除いた前面図（図２（ａ））と外枠とそこに組み込まれた内枠の背面図（図２（ｂ））である。
【図３】水平角度調整機構の背面拡大図（図３（ａ））と図３（ａ）のＡ−Ａ断面図（図３（ｂ））である。
【符号の説明】
１　内枠
５　前枠
７　遊技盤
８　機構枠
９　ガラス枠
１０　外枠
１４　水準器
１５　送り機構
１８　円盤
１９　固定具
２０　金具
２２　ネジ
２３　ボールナット
【図１】
2004121736.tif 000003
【図２】
2004121736.tif 000004
【図３】
2004121736.tif 000005